(57)【要約】【課題】内燃機関の排気に供給された還元剤を排気中に分散させる還元剤分散装置において、排気の流量に拘らず、排気における還元剤の分散性と該還元剤分散装置における圧損とを好適に維持できる技術を提供する。【解決手段】排気管２に渡された複数の軸７ｃに回動可能に支持された複数の傾斜板７ａを有し、各傾斜板７ａは、傾斜角θが大きくなる方向に付勢バネ７ｄによって付勢されている。排気の流量が変化すると、排気の風圧に基づく力と、付勢バネ７ｄによる付勢力とが釣り合うまで、傾斜板７ａの傾斜角θが変更される。【選択図】図２
2008115796.tif 000002
【特許請求の範囲】
【請求項１】
内燃機関の排気が通過する排気通路に設けられ、上流において該排気に供給された還元剤を該排気中に分散させる内燃機関の還元剤分散装置であって、
前記排気の進行方向に対して傾斜した複数の傾斜板を有し、
前記複数の傾斜板の少なくとも一部の傾斜板は、互いに傾斜方向が異なり、
前記複数の傾斜板の、前記排気の進行方向に対する角度である傾斜角度は、前記排気の風圧によって変更されることを特徴とする内燃機関の還元剤分散装置。
【請求項２】
前記傾斜角度は、前記排気の風圧が大きいほど小さい角度に変更されることを特徴とする請求項１に記載の内燃機関の還元剤分散装置。
【請求項３】
前記傾斜板は、弾性体によって前記傾斜角度が大きくなる側に付勢され、
前記傾斜角度は、前記排気の風圧によって、該風圧に基づく力と前記弾性体の弾性力とがつり合う角度に変更されることを特徴とする請求項２に記載の内燃機関の還元剤分散装置。
【請求項４】
前記複数の傾斜板のうちの少なくとも２つの傾斜板は、互いに共通の回転軸回りに回動可能に支持されることにより、前記排気通路の上流側に対して楔状に対向する楔部を形成し、
前記楔部の開き角度は前記排気の風圧が大きいほど小さくなることを特徴とする請求項２または３に記載の内燃機関の還元剤分散装置。
【発明の詳細な説明】
【技術分野】
【０００１】
本発明は内燃機関の排気に添加された還元剤を排気通路内で分散させる内燃機関の還元剤分散装置に関する。
【背景技術】
【０００２】
内燃機関の排気にはＮＯxなどの有害物質が含まれている。これらの有害物質の排出を
低減するために、内燃機関の排気系に、排気中のＮＯxを浄化するＮＯx触媒からなる排気浄化装置を設けることが知られている。この技術において、ＮＯx触媒として例えば吸蔵
還元型ＮＯx触媒を設けた場合には、流入する排気の酸素濃度が高いときは排気中のＮＯxを吸蔵し、流入する排気の酸素濃度が低下し且つ還元剤が存在するときは吸蔵していたＮＯxを還元する機能により排気中のＮＯxを浄化することができる。
【０００３】
また、この吸蔵還元型ＮＯx触媒においては、吸蔵されたＮＯxの量が増加すると浄化性能が悪化するため、吸蔵還元型ＮＯx触媒に還元剤を供給し、同触媒に吸蔵されたＮＯxを還元放出することが行われる（以下、「ＮＯx還元処理」という。）。さらに、ＮＯx触媒に排気中のＳＯxが吸蔵され、浄化性能が劣化するＳＯx被毒を解消するために、ＮＯx触
媒の床温を上昇させるとともに還元剤を供給する場合もある（以下、「ＳＯx被毒回復処
理」という。）。
【０００４】
一方、内燃機関の排気にはカーボンを主成分とする微粒子物質（ＰＭ：Particulate Matter）が含まれている。これらの微粒子物質の大気への放散を防止するために内燃機関の排気系に微粒子物質を捕集するパティキュレートフィルタ（以下、「フィルタ」という。）を設ける技術が知られている。
【０００５】
かかるフィルタにおいては、捕集された微粒子物質の堆積量が増加すると、フィルタの目詰まりによって排気における背圧が上昇し機関性能が低下するので、例えばフィルタまたはフィルタ上流の酸化触媒に還元剤を供給してフィルタの温度を上昇させ、捕集された微粒子物質を酸化除去することとしている（以下、「ＰＭ再生処理」という。）。
【０００６】
ここで、排気に添加された還元剤が、排気中に充分に分散されないままＮＯx触媒やフ
ィルタなどの排気浄化装置に導入された場合には、上記したＮＯx還元処理、ＳＯx被毒回復処理、ＰＭ再生処理などの、排気浄化装置における浄化能力の再生処理の効率が悪化する場合がある。その結果、前記再生処理に係る燃費の悪化や、エミッションの悪化が生じるおそれがあった。
【０００７】
これに関連する技術としては、煙道ガスダクト内の、還元剤の噴射装置の下流側に、煙道ガスの流れに対して斜めになるように固定的に組み込まれた複数のプレートによって、混合器を構成する技術などが提案されている (例えば、特許文献１。)。
【０００８】
しかし、この技術においては、内燃機関の運転状態によって変化する排気の流量によって排気における還元剤の分散性や圧損が変化してしまう場合があった。具体的には排気の流速が小さいと還元剤の分散性が悪化し、排気の流速が大きいと還元剤を分散させる際の排気の圧損が高くなり機関出力やエミッションに影響を及ぼす場合があった。
【特許文献１】特表２００３−５０３１７２号公報
【特許文献２】特開平５−１２５９２３号公報
【特許文献３】特開平７−３１０５３２号公報
【発明の開示】
【発明が解決しようとする課題】
【０００９】
本発明の目的とするところは、内燃機関の排気に供給された還元剤を排気中に分散させる還元剤分散装置において、排気の流量に拘らず、排気における還元剤の分散性と該還元剤分散装置における圧損とを好適に維持できる技術を提供することである。
【課題を解決するための手段】
【００１０】
上記目的を達成するための本発明は、少なくとも傾斜方向の異なる２つ以上の傾斜板を含んだ複数の傾斜板を有する還元剤分散装置であって、傾斜板の傾斜角が排気の風圧に応じて変更されることを最大の特徴とする。
【００１１】
より詳しくは、内燃機関の排気が通過する排気通路に設けられ、上流において該排気に供給された還元剤を該排気中に分散させる内燃機関の還元剤分散装置であって、
前記排気の進行方向に対して傾斜した複数の傾斜板を有し、
前記複数の傾斜板の少なくとも一部の傾斜板は、互いに傾斜方向が異なり、
前記複数の傾斜板の、前記排気の進行方向に対する角度である傾斜角度は、前記排気の風圧によって変更されることを特徴とする。
【００１２】
すなわち、本発明における還元剤分散装置は、排気の進行方向に対して傾斜した複数の傾斜板を有している。これにより、少なくとも２枚以上の傾斜板によって、該還元剤分散装置に導入される還元剤及び排気の流れを変更させることができ、排気における還元剤の分散を促進することができる。
【００１３】
そして、前記複数の傾斜板には、少なくとも傾斜方向の異なる傾斜板が含まれているので、本還元剤分散装置において還元剤及び排気が流れを変更する際に、２方向以上に流れを変更された排気及び還元剤を排出することができ、排気における還元剤の分散性をさらに向上させることができる。なお、ここで傾斜板の傾斜方向とは、傾斜板の法線の、排気の進行方向に対する傾き方向を意味する。換言すると、傾斜板が排気通路の周方向における如何なる方向に傾いているかを意味する。
【００１４】
例えば、本発明に係る還元剤分散装置の傾斜板は、傾斜方向が互いに１８０度異なる傾斜板を含んでいてもよい。この場合は、排気の進行方向に対して互いに反対方向に傾いた傾斜板を有することとなる。また、本発明に係る還元剤分散装置の傾斜板は、傾斜方向が互いに９０度異なる傾斜板を含んでいてもよい。この場合は、排気の進行方向に対して互いに直角方向に傾いた傾斜板を有することとなる。
【００１５】
さらに、本発明においては、前記複数の傾斜板の、前記排気の進行方向に対する角度である傾斜角度は、前記排気の風圧によって変更される。従って、排気の風圧に応じて最適な角度まで傾斜板を排気の進行方向に対して傾けることができ、排気の風圧に応じて還元剤の分散の促進度合いを最適に維持することができる。
【００１６】
ここで、傾斜板の傾斜角度が大きければ、還元剤の分散性が向上するとともに還元剤分散装置における排気の圧損が増加し、傾斜板の傾斜角度が小さければ、還元剤の分散性が抑えられるとともに還元剤分散装置における排気の圧損が減少する傾向がある。従って、本発明においては、排気の風圧に応じて、還元剤の分散性と排気の圧損とをバランスさせた傾斜角度を選択することで、還元剤の分散性と排気の圧損の両方を、好適に維持することが可能となる。
【００１７】
ここで排気の風圧は、排気の流量が多いほど高くなる関係がある。従って、本発明においては換言すると、排気の流量に応じて還元剤の分散性と排気の圧損とを好適に維持させ
ることが可能となる。
【００１８】
なお、ここで傾斜角度とは、前記排気の進行方向に対する角度であるが、この角度は、ある傾斜板がその傾斜方向にどの程度傾いているかを示している。また、傾斜板の機能を考慮すると、傾斜角度は実質的には０度〜９０度の範囲で決定される。例えば、傾斜角度が０度とは、傾斜板が排気の進行方向と平行である状態を示し、傾斜角度が９０度とは、傾斜板が排気の進行方向に垂直である状態を示す。
【００１９】
また、本発明においては、前記傾斜角度は、排気の風圧が大きいほど小さい角度に変更されるようにしてもよい。
【００２０】
ここで、排気の風圧が大きいほど前記傾斜角度を小さくすることにより、排気の風圧が大きいほど相対的に排気通路内の有効断面積を増加させることができる。従って、排気の風圧が大きい状態において排気通路における背圧を低く抑えることができ、排気の風圧が内燃機関の運転性能に影響を及ぼすことを抑制できる。なお、この状態においては、前記傾斜角度が小さいために、排気における還元剤の分散性が抑えられるが、本来排気の風圧が大きい状態においては還元剤の分散度合いが大きいので、この点は問題となりづらい。
【００２１】
一方、本発明においては排気の風圧が小さい状態では、前記傾斜角度が大きくなり９０度に近づくので、傾斜板と衝突した排気及び還元剤の流れの変化を大きくすることができ、また、排気通路の有効断面積を小さく抑えることができる。そうすると、還元剤分散装置を通過する際の排気の流れの変化をより大きくすることができ、排気における還元剤の分散を促進できる。
【００２２】
また、本発明においては、前記傾斜板は、弾性体によって前記傾斜角度が大きくなる側に付勢されており、前記傾斜角度は、前記排気の風圧によって、該風圧に基づく力と前記弾性体の弾性力とがつり合う角度に変更されるようにしてもよい。
【００２３】
そうすれば、排気の風圧が大きいほど、傾斜板の傾斜角度が小さくなるように、傾斜板を自動的に制御することができ、より簡単な構成及び方法で、排気の風圧に拘らず、還元剤の分散性と還元剤分散装置における圧損とを好適に維持することができる。また、傾斜板を制御するための動力を必要としないので、燃費を向上させることができる。
【００２４】
また、本発明においては、前記複数の傾斜板のうちの少なくとも２つの傾斜板は、互いに共通の回転軸回りに回動可能に支持されることにより、前記排気通路の上流側に対して楔状に対向する楔部を形成し、前記楔部の開き角度は前記排気の風圧が大きいほど小さくなるようにしてもよい。
【００２５】
すなわち、前記複数の傾斜板のうちの２つを共通の回転軸回りに回動可能に支持して１つの楔部を形成させる。そして、この回転軸は、排気の進行方向に垂直に配置させる。また、楔部を形成する傾斜板の間の開き角度が、排気の風圧が大きいほど小さくなるようにする。そうすれば、この楔部に衝突する排気及び還元剤は互いに反対方向に方向転換することとなり、より効率的に還元剤の分散性を向上させることができる。
【００２６】
また、本発明に係る還元剤分散装置においては、前記楔部を複数個備えるようにしてもよい。そうすれば、より確実に還元剤の分散性を向上させることができる。
【００２７】
なお、本発明における課題を解決するための手段は、可能な限り組み合わせて使用することができる。
【発明の効果】
【００２８】
本発明にあっては、内燃機関の排気に供給された還元剤を排気中に分散させる還元剤分散装置において、排気の流量に拘らず、排気における還元剤の分散性と該還元剤分散装置における圧損とを好適に維持することができる。
【発明を実施するための最良の形態】
【００２９】
以下に図面を参照して、この発明を実施するための最良の形態を例示的に詳しく説明する。
【実施例１】
【００３０】
図１は、本実施例に係る内燃機関及び排気系、制御系の概略構成を示す図である。なお、図１においては内燃機関の内部及び吸気系については図示を省略している。
【００３１】
図１において内燃機関１には、排気管２が接続されている。排気管２には、還元剤としての燃料を添加する燃料添加弁５が設けられている。また燃料添加弁５の下流には、排気管２を通過する排気中の微粒子物質を捕集するとともに排気中のＮＯxを浄化する排気浄
化装置３が設けられている。この排気浄化装置３には、吸蔵還元型ＮＯx触媒及びフィル
タが内臓されている。この排気浄化装置３の下流において排気管２は図示しないマフラに接続され、その下流において大気に開放されている。
【００３２】
また、排気管２における燃料添加弁５と排気浄化装置３との間には、燃料添加弁５から添加された燃料を排気中に、より均一に分散させる分散装置７が形成されている。燃料添加弁５から添加された燃料がこの分散装置７を通過する際に、排気の進行方向に対して横方向の力を受けて排気管２全体に分散し、還元剤としての燃料が排気浄化装置３全体により均一に導入されるようになっている。
【００３３】
また、内燃機関１には、電子制御コンピュータであるＥＣＵ２０が併設されている。ＥＣＵ２０は図示しないＲＯＭ、ＲＡＭ、ＣＰＵ、入力ポート、出力ポート等を備え、内燃機関１の運転状態や運転者による要求に応じて、燃料噴射等の既知の制御を行う。また、燃料添加弁５からの還元剤としての燃料の添加制御もこのＥＣＵ２０からの指令に基づいて行なわれる。
【００３４】
ここで、例えば排気管２における分散装置７が、静止した羽根によってあるいは排気管３の軸に垂直な断面の全域に開口部を分布させることによって、燃料を排気の全体に分散させようとした場合について考える。この場合は、内燃機関１の運転状態によって排気の流量が変化すると、還元剤の排気への分散性と、分散装置７における圧損とを好適に維持することが困難な場合があった。具体的には、排気の流量が少ない場合には、排気流量エネルギが低く燃料を排気の流れに乗せづらいため、充分な分散性を得ることができない場合があった。一方、排気の流量が多い場合には、分散装置７における圧損が大きくなり、内燃機関１の運転性能に影響を及ぼすおそれがあった。
【００３５】
そこで、本実施例においては、分散装置７内に複数の傾斜板７ａを設け、その傾斜板７ａの排気の進行方向に対する角度θが、排気の風圧に応じて自動的に変化する構成とした。
【００３６】
図２には、本実施例における分散装置７の構成を示す。図２（ａ）は排気の流量が少なく風圧が比較的低い状態を、図２（ｂ）は排気の流量が多く風圧が比較的高い状態を示している。
【００３７】
図２（ａ）に示すように、本実施例における分散装置７は６枚の傾斜板７ａを有してい
る。全ての傾斜板７ａは、排気管２に図２中水平方向に渡された傾斜板軸７ｃの回りに回動可能に支持されている。排気管２の上下の壁面に設けられた２つの傾斜板軸７ｃには、それぞれ１枚の傾斜板７ａが支持されている。排気管２の内部には、排気の進行方向に平行に支持板７ｂが２枚設けられており、この支持板７ｂの上流端に設けられた傾斜板軸７ｃにはそれぞれ２枚の傾斜板７ａが回動可能に支持されている。なお、本実施例において楔部は、支持板７ｂの上流端の傾斜板軸７ｃに支持された２枚の傾斜板７ａによって形成されている。
【００３８】
また、排気管２の壁面または支持板７ｂと、傾斜板７ａとの間には、傾斜板７ａを開き側、換言すると排気の進行方向に対する角度θ（以下、傾斜角θという。）が大きくなる方向に付勢する付勢バネ７ｄが設けられている。従って、傾斜板７ａは、排気の風圧に基づいて傾斜板７ａを閉じようとする力と付勢バネ７ｄによる傾斜板７ａを開こうとする力とが釣り合う角度で姿勢が保持される。
【００３９】
そうすると、図２（ａ）のように排気の流量が少ない場合には、傾斜板７ａは、傾斜角θが比較的大きい姿勢で保持される。従って、燃料添加弁５から添加された燃料８は傾斜板７ａによって進行方向と垂直方向により大きな力を受ける。また、傾斜板７ａ同士の隙間が狭くなるので、その隙間を通過するために排気及び燃料８の流れはより大きく変化する。その結果、分散装置７における燃料の分散性を向上させることができる。
【００４０】
一方、図２（ｂ）に示すように排気の流量が多い場合には、傾斜角θが小さくなる。従ってこの場合には、燃料添加弁５から添加された燃料８は傾斜板７ａによってあまり大きな力を受けない。また、傾斜板７ａの間の隙間が大きくなるので、その隙間を通過する際に排気の流れはあまり変化しない。その結果、分散装置７における圧損を低減することができる。また、この場合には燃料の分散性は抑えられるが、排気の流量が大きい状態では排気管２の外周付近にも充分な排気の流れができ排気流速エネルギも高いために、本来分散性が高く、このことは問題となりづらい。
【００４１】
以上、説明したように、本実施例における分散装置７は、複数の傾斜板７ａを有しており、この傾斜板７ａは、傾斜角θが大きくなるように付勢バネ７ｄによって付勢されている。そして、排気の風圧と付勢力とが釣り合う角度で傾斜板７ａの姿勢が保持される。
【００４２】
従って、排気の流速が少ないほど（排気の風圧が小さいほど）、傾斜板７ａの傾斜角θを自動的に大きくすることができ、分散性の低下し易い運転状態において、自動的に分散装置７における分散性を向上させることができる。一方、排気の風圧が大きいほど、傾斜板７ａの傾斜角θを自動的に小さくすることができ、分散装置７における圧損を自動的に好適な値に調節することができる。
【００４３】
なお、本実施例においては、傾斜板軸７ｃは、排気管２に水平に渡されている。従って本実施例における傾斜板７ａの傾斜方向は、図２（ａ）の鉛直上方向と鉛直下方向である。また、本実施例において傾斜角θが傾斜角度に相当する。また、本実施例において楔部を形成する２つの傾斜板７ａの間の角（２θ）は、楔部の開き角度に相当する。
【００４４】
また、上記の実施例においては、傾斜板７ａを付勢バネ７ｄによって、傾斜角θを大きくする方向に付勢する例について説明したが、この付勢バネ７ｄの代わりにゴムなどの他の弾性体を用いてもよいことはもちろんである。
【実施例２】
【００４５】
次に、弾性力以外の力を利用して傾斜板を付勢する例について説明する。本実施例においては、電磁力を利用して、傾斜角θを大きくする方向に傾斜板７ａを付勢する。図３に
は、本実施例における分散装置７の概略構成を示す。
【００４６】
本実施例においては、図３に示すように、傾斜板７ａと排気管２の上下の壁面との間及び、傾斜板７ａと支持板７ｂとの間には、同極が向かい合うように永久磁石７ｅが備え付けられている。
【００４７】
このように、永久磁石同士の反発力を利用して、傾斜板７ａを傾斜角θが大きくなる方向に付勢しても構わない。また、この場合には、排気熱の永久磁石の性能への影響を排除するために、図３（ｂ）に示すように、傾斜板軸７ｃを排気管２の外部まで引き出し、傾斜板７ａ、支持板７ｂと連動する外部傾斜板７ｆ、外部支持板（不図示）を形成し、この外部傾斜板７ｆと外部支持板に永久磁石を備えるように構成しても構わない。
【００４８】
さらに、各傾斜板７ａまたは各外部傾斜板７ｆに対して、傾斜角θが大きくなる方向に電動モータや電磁ソレノイドなどの電磁アクチュエータで直接付勢力を作用させても構わない。電磁アクチュエータで傾斜板７ａに直接付勢力を作用させる場合には、傾斜板７ａの傾斜角θに拘らず一定の付勢力が作用するようにしてもよい。また、排気の流量（風圧）と、最適な傾斜角θとの関係を予め実験的に求めて格納したマップと、排気の流量（風圧）を検出する流量センサ（不図示）をさらに設けてもよい。この場合には、流量センサによって検出された流量に対応する傾斜角θを前記マップから読み出し、傾斜角θが排気の流量(風圧)に対する最適値となるように電磁アクチュエータによる付勢力を制御してもよい。なお、ここで最適な傾斜角θとは、排気の流量の値に対して、要求される分散性を充足させ且つ分散装置７における圧損が許容範囲内となる傾斜板７ａの角度である。
【実施例３】
【００４９】
次に、傾斜板７ａを排気管２内に３次元的に配置した例について説明する。すなわち、本実施例においては、図４に示すように、傾斜板軸７ｃを水平方向に渡して傾斜板７ａを支持させた分散装置７と、傾斜板軸１７ｃを鉛直方向に渡して傾斜板１７ａを支持させた第２分散装置１７とを、排気の進行方向に並べて配置させた。
【００５０】
このように、傾斜板の傾斜方向が異なる複数の分散装置を、排気の進行方向に並べることにより、排気及び還元剤としての燃料の運動方向をより多用に変化させることができ、排気における還元剤の分散性をより向上させることができる。
【００５１】
このような場合には、排気の進行方向に並べられる個々の分散装置における付勢バネの付勢力は、並べられる分散装置の個数に応じて弱くしてもよい。そうすれば、全体としての圧損が大きくなることを抑制することができる。
【実施例４】
【００５２】
次に、分散装置において傾斜板軸または、傾斜板軸における傾斜板の配置を変更した例について説明する。図５（ａ）には、傾斜板２７ａが１本の傾斜板軸２７ｃに複数配置された例について示す。
【００５３】
図５（ａ）の例では、４本の傾斜板軸２７ｃが水平方向に渡され、排気管２の中央寄りの２本の傾斜板軸２７ａには、傾斜板軸２７ｃの軸方向に複数の傾斜板２７ａが設けられている。そして、隣り合う２本の傾斜板軸２７ｃの間には、各傾斜板軸２７ａに設けられた傾斜板２７ａが交互に並ぶように傾斜板２７ａが設けられている。
【００５４】
この例では、排気の風圧によって傾斜板２７ａの傾斜角θが小さくなるように傾いた場合に、傾斜板軸２７ｃの軸方向にも異なる傾斜方向の傾斜板２７ａが交互に並ぶこととなる。この構成により、排気における還元剤の分散性をより向上させることが可能となる。
【００５５】
また、図５（ｂ）に示した例においては、互いに直交する２本の傾斜板軸３７ｃを有し、各傾斜板軸３７ｃに三角形の傾斜板３７ａを回動可能に支持している。この例においても、各傾斜板軸３７ｃの軸方向に複数の傾斜板３７ａを配置することができ、還元剤である燃料の分散性を向上させることができる。
【図面の簡単な説明】
【００５６】
【図１】本発明の実施例１における内燃機関及び、排気系、制御系の概略構成を示す図である。
【図２】本発明の実施例１における分散装置の概略構成を示す図である。
【図３】本発明の実施例２における分散装置の概略構成を示す図である。
【図４】本発明の実施例３における分散装置の概略構成を示す図である。
【図５】本発明の実施例４における分散装置の傾斜板及び傾斜板軸の配置を示す図である。
【符号の説明】
【００５７】
１・・・内燃機関
２・・・排気管
３・・・排気浄化装置
５・・・燃料添加弁
７、１７・・・分散装置
７ａ、１７ａ、２７ａ、３７ａ・・・傾斜板
７ｂ・・・支持板
７ｃ、１７ｃ、２７ｃ、３７ｃ・・・傾斜板軸
７ｄ・・・付勢バネ
７ｅ・・・永久磁石
７ｆ・・・外部傾斜板
８・・・燃料
２０・・・ＥＣＵ
【図１】
2008115796.tif 000003
【図２】
2008115796.tif 000004
【図３】
2008115796.tif 000005
【図４】
2008115796.tif 000006
【図５】
2008115796.tif 000007